(57)【特許請求の範囲】
【請求項１】
光を発生するための光発生手段と、
前記光を、映像を表示するための表示手段にガイドするための導光手段と、
前記導光手段の下部に設けられ前記光を前記導光手段側に反射するための反射手段と、
前記反射手段、導光手段及び光発生手段を収納するための収納手段と、を含み、
前記収納手段の基底面には、前記導光手段と前記光発生手段との間に位置し、前記光発生手段に当接して前記光発生手段の位置をガイドするとともに、前記導光手段と前記光発生手段との衝突を防止するための一つ以上のボスが形成されることを特徴とする液晶表示装置。
【請求項２】
前記収納手段は、
側壁、及び前記反射手段の背面が露出されるように所定部分が開口された基底面を有する第１収納容器と、
前記第１収納容器と対向し結合して前記反射手段、導光手段及び光発生手段が前記第１収納容器から離脱されることを防止するための第２収納容器とを含むことを特徴とする請求項１に記載の液晶表示装置。
【請求項３】
前記一つ以上のボスは、前記第１収納容器の基底面の角部分に前記第１収納容器の側壁から所定の距離に離隔して各々形成されることを特徴とする請求項２に記載の液晶表示装置。
【請求項４】
前記反射手段の端部から所定の長さに延びて反射部が形成され、
前記反射部は、前記光発生手段の外側を取囲むように折り曲げられ、前記光発生手段の上部まで延びるように形成されることを特徴とする請求項１に記載の液晶表示装置。
【請求項５】
前記反射手段の基底面には、前記第１収納容器の基底面に形成された一つ以上のボスと対応するように一つ以上の第１貫通ホールが形成され、前記反射手段は、前記一つ以上のボスと一つ以上の第１貫通ホールとの結合により収納位置にガイドされることを特徴とする請求項４に記載の液晶表示装置。
【請求項６】
前記光発生手段は、一体形のランプを折り曲げて形成されたランプであることを特徴とする請求項４に記載の液晶表示装置。
【請求項７】
前記ランプは、前記一つ以上のボスと前記第１収納容器の側壁との間に収納されることを特徴とする請求項６に記載の液晶表示装置。
【請求項８】
前記反射部は、前記ランプの形状に対応するように前記反射手段の各端部から延びて形成された第１、第２及び第３反射部から成り、
前記ランプの第１折り曲げ部位の上部は、前記第１及び第２反射部の間の角部において前記第１折り曲げ部位と隣接する前記第１反射部の第１端部と前記第２反射部の第１端部との重畳部分によりカバーされ、
前記ランプの第２折り曲げ部位の上部は、前記第２及び第３反射部の間の角部において前記第２折り曲げ部位と隣接する前記第２反射部の第２端部と前記第３反射部の第２端部との重畳部分によりカバーされることを特徴とする請求項７に記載の液晶表示装置。
【請求項９】
前記第１折り曲げ部位をカバーする前記第１反射部の第１端部は、前記第２反射部の第１端部より長く延びて形成されることを特徴とする請求項８に記載の液晶表示装置。
【請求項１０】
前記第２折り曲げ部位をカバーする前記第３反射部の第２端部は、前記第２反射部の第２端部より長く延びて形成されることを特徴とする請求項８に記載の液晶表示装置。
【請求項１１】
前記第１収納容器の基底面は、前記ランプの形状に対応するように開口部が形成され、前記開口部により前記ランプからの熱を発散することを特徴とする請求項６に記載の液晶表示装置。
【請求項１２】
前記導光手段の上部に搭載され、前記導光手段から射出される光の輝度を制御して前記表示手段に提供するための光調節手段をさらに含むことを特徴とする請求項２に記載の液晶表示装置。
【請求項１３】
前記光調節手段は、前記導光手段からの光の視野角を変更するための一つ以上の拡散シートであることを特徴とする請求項１２に記載の液晶表示装置。
【請求項１４】
前記第１収納容器の一側壁の上面には、前記光調節手段の収納位置をガイドするための複数の突起が形成されることを特徴とする請求項１２に記載の液晶表示装置。
【請求項１５】
前記光調節手段の一端部は、部分的に所定の長さに延びて複数の突出部が形成され、前記複数の突出部には前記複数の突起と結合し、前記光調節手段の移動を防止するための複数の第２貫通ホールが各々形成されることを特徴とする請求項１４に記載の液晶表示装置。
【請求項１６】
前記第２収納容器は、前記光調節手段から射出される光が前記表示手段に入射されるように基底面の所定部分が開口され、前記基底面の縁は前記第１収納容器の基底面に形成された一つ以上のボスをカバーする程度の幅を有するように形成されることを特徴とする請求項１２に記載の液晶表示装置。
【請求項１７】
前記表示手段の有効表示領域に対応して基底面が開口され、前記第１収納容器と対向し結合して前記第２収納容器の上部に収納される前記表示手段を前記第２収納容器に固定するためのトップシャーシをさらに含むことを特徴とする請求項２に記載の液晶表示装置。
【請求項１８】
前記第１収納容器の背面に結合し前記光発生手段及び表示手段の駆動を制御するための印刷回路基板をさらに含むことを特徴とする請求項１７に記載の液晶表示装置。
【請求項１９】
前記トップシャーシの側壁から部分的に延びて結合部が形成され、前記結合部は前記印刷回路基板の接地端に結合されることを特徴とする請求項１８に記載の液晶表示装置。
【請求項２０】
前記光発生手段は、両端に各々形成され外部からの駆動電力の入力を受けるための電力供給ラインを含むことを特徴とする請求項２に記載の液晶表示装置。
【請求項２１】
前記第１収納容器の一側壁から所定の距離に離隔して前記第１収納容器の基底面上に隔壁が形成され、前記電力供給ラインは前記隔壁と前記一側壁との間の離隔空間を通じて前記第１及び第２収納容器の外部に引出されることを特徴とする請求項２０に記載の液晶表示装置。
【請求項２２】
前記導光手段の上部に搭載され、前記導光手段から射出される光の輝度を制御して前記表示手段に提供するための光調節手段をさらに含むことを特徴とする請求項２１に記載の液晶表示装置。
【請求項２３】
前記隔壁の上面には、前記光調節手段の収納位置をガイドするための複数の突起が形成されることを特徴とする請求項２２に記載の液晶表示装置。
【請求項２４】
前記複数の突起は、前記隔壁と一側壁との間に収納された前記電力供給ラインの離脱を防止するために前記隔壁から前記一側壁側に突出し形成されることを特徴とする請求項２３に記載の液晶表示装置。
【請求項２５】
前記光調節手段の一端部は、部分的に所定の長さに延びて複数の突出部が形成され、前記複数の突出部には前記複数の突起と結合し前記光調節手段の移動を防止するための複数の第２貫通ホールが各々形成されることを特徴とする請求項２３に記載の液晶表示装置。
【請求項２６】
映像を表示するための表示手段と、
前記表示手段に提供する光を発生するための光発生手段と、
前記光を、前記表示手段にガイドするための導光手段と、
前記表示手段、前記光発生手段、及び前記導光手段を収納するための収納手段と、
前記表示手段に駆動電力を提供する電力供給手段を有し、前記電力供給手段を収納するために開口部が形成された印刷回路基板と、を含み、
前記収納手段の基底面には、前記導光手段と前記光発生手段との間に位置し、前記光発生手段に当接して前記光発生手段の位置をガイドするとともに、前記導光手段と前記光発生手段との衝突を防止するための一つ以上のボスが形成され、
前記電力供給手段は前記印刷回路基板に形成された開口部に所定の深さに挿入され収納されることを特徴とする液晶表示装置。
【請求項２７】
前記電力供給手段は、前記収納手段の背面に設けられることを特徴とする請求項２６に記載の液晶表示装置。
【請求項２８】
前記電力供給手段は、外部からの電力を前記表示手段に提供される駆動電力に変換するためのトランスフォーマであることを特徴とする請求項２７に記載の液晶表示装置。
【請求項２９】
映像を表示するための表示手段と、
前記表示手段に提供する光を発生するための光発生手段と、
前記光を、前記表示手段にガイドするための導光手段と、
前記表示手段、前記光発生手段、及び前記導光手段を収納するための収納手段と、
前記収納手段の背面に設けられ、前記表示手段に駆動電力を提供するための電力供給手段及び前記表示手段に提供される信号を変換するための信号変換手段を有する第１印刷回路基板と、
前記第１印刷回路基板と分離された第２印刷回路基板に設けられ、前記電力供給手段と電力供給ラインを通じて連結され外部から入力される電力を前記電力供給手段に提供するための第１コネクタと、
前記第１及び第２印刷回路基板と分離された第３印刷回路基板に設けられ、前記信号変換手段とデータ転送ラインを通じて連結され外部から入力されるデータ信号を前記信号変換手段に提供するための第２コネクタと、
前記表示手段側から結合されるフロントケースと、前記フロントケースと対向し結合するリアケースとを含み、
前記収納手段の基底面には、前記導光手段と前記光発生手段との間に位置し、前記光発生手段に当接して前記光発生手段の位置をガイドするとともに、前記導光手段と前記光発生手段との衝突を防止するための一つ以上のボスが形成され、
前記フロントケース又はリアケースには前記第１及び第２コネクタが外部に露出されるように、前記第２及び第３印刷回路基板を収納するための第１及び第２開口部が互いに所定距離に離隔され形成され、前記第１及び第２開口部に各々収納された前記第１及び第２コネクタはケースに沿って互いに対し遠ざかりまたは近づく方向に移動可能であることを特徴とする液晶表示装置。
【請求項３０】
前記第１印刷回路基板には、前記電力供給手段を収納するための第３開口部が形成され、前記電力供給手段は前記第３開口部に所定の深さに挿入され収納されることを特徴とする請求項２９に記載の液晶表示装置。
【請求項３１】
前記電力供給手段は、外部からの電力を前記表示手段に提供される駆動電力に変換するためのトランスフォーマであることを特徴とする請求項３０に記載の液晶表示装置。
【請求項３２】
光を発生するための光発生手段と、
前記光を、映像を表示するための表示手段にガイドするための導光手段と、
前記導光手段の下部に設けられ前記光を前記導光手段側に反射するための反射手段と、
前記反射手段、導光手段及び光発生手段を収納するための収納手段と、を含み、
前記収納手段の基底面には、前記導光手段と前記光発生手段との間に位置し、前記光発生手段に当接して前記光発生手段の位置をガイドするとともに、前記導光手段と前記光発生手段との衝突を防止するための一つ以上のボスが形成され、
前記反射手段は、端部から所定の長さに延びる反射部が形成され、前記反射部は前記光発生手段の外側を取囲むように折り曲げられ、前記光発生手段の上部まで延びて形成されることを特徴とする液晶表示装置。
【請求項３３】
前記収納手段は、側壁と前記反射手段の背面が露出されるように基底面の所定部分が開口された基底面を有する第１収納容器と、
前記第１収納容器と対向し結合して前記反射手段、導光手段及び光発生手段が前記第１収納容器から離脱されることを防止するための第２収納容器とを含むことを特徴とする請求項３２に記載の液晶表示装置。
【請求項３４】
前記ボスの各々が、前記第１収納容器の基底面の角部分に、前記第１収納容器の側壁から所定の距離に離隔して形成されることを特徴とする請求項３３に記載の液晶表示装置。
【請求項３５】
前記反射手段の基底面には、前記第１収納容器の基底面に形成されたボスと対応するように第１貫通ホールが形成され、前記反射手段は前記ボスと第１貫通ホールとの結合により収納位置にガイドされることを特徴とする請求項３４に記載の液晶表示装置。
【請求項３６】
前記光発生手段は、一体形のランプを折り曲げて形成され、前記ボスと前記第１収納容器の側壁との間に収納されることを特徴とする請求項３５に記載の液晶表示装置。
【請求項３７】
前記反射部は、前記ランプの形状に対応するように前記反射手段の各端部から延びて形成された第１、第２及び第３反射部から成り、
前記ランプの第１折り曲げ部位の上部は、前記第１及び第２反射部の間の角部において前記第１折り曲げ部位と隣接する前記第１反射部の第１端部と前記第２反射部の第１端部との重畳部分によりカバーされ、
前記ランプの第２折り曲げ部位の上部は、前記第２及び第３反射部の間の角部において前記第２折り曲げ部位と隣接する前記第２反射部の第２端部と前記第３反射部の第２端部との重畳部分によりカバーされることを特徴とする請求項３６に記載の液晶表示装置。
【請求項３８】
前記第１折り曲げ部位をカバーする前記第１反射部の第１端部は、前記第２反射部の第１端部より長く延びて形成されることを特徴とする請求項３７に記載の液晶表示装置。
【請求項３９】
前記第２折り曲げ部位をカバーする前記第３反射部の第２端部は、前記第２反射部の第２端部より長く延びて形成されることを特徴とする請求項３７に記載の液晶表示装置。
【発明の詳細な説明】
【０００１】
【発明の属する技術分野】
本発明は液晶表示装置に関するものであり、より詳細には、携帯型移動通信機、ゲーム機などに使用される小型の液晶表示装置に関するものである。
【０００２】
【従来の技術】
最近、情報処理機器は多様な形態、多様な機能、より高速の情報処理速度を有するように急速に発展している。このような情報処理装置で処理される情報は電気信号の形態を有する。使用者が情報処理装置で処理された情報を目で確認するためにはインターフェース機能を有するディスプレー装置を必要とする。
【０００３】
最近、ＣＲＴ方式のディスプレー装置に比べて、軽量、小型でありながら、フル−カラー、高解像度などのような機能を有する液晶表示装置の開発が進んでいる。その結果、液晶表示装置は代表的な情報処理装置であるコンピュータのモニター、家庭用壁掛けテレビ、それ以外の情報処理装置のディスプレー装置として広く使用されることになった。
【０００４】
液晶表示装置は、液晶の特定の分子配列に電圧を印加して異なる分子配列へ変換させ、このような分子配列により発光する液晶セルの複屈折性、旋光性、２色性及び光散乱特性などの光学的性質の変化を視覚変化へ変換することで、液晶セルによる光の変調を利用したディスプレーである。
【０００５】
液晶表示装置は大きくＴＮ（Ｔｗｉｓｔｅｄ  Ｎｅｍａｔｉｃ）方式とＳＴＮ（Ｓｕｐｅｒ−Ｔｗｉｓｔｅｄ  Ｎｅｍａｔｉｃ）方式に分かれ、駆動方式の差異でスイッチング素子及びＴＮ液晶を利用したアクティブマトリックス（Ａｃｔｉｖｅ  ｍａｔｒｉｘ）表示方式とＳＴＮ液晶を利用したパッシブマトリックス（Ｐａｓｓｉｖｅ  ｍａｔｒｉｘ）表示方式とがある。
【０００６】
この二つ方式の大きな差異は、アクティブマトリックス表示方式はＴＦＴ−ＬＣＤに使用され、これはＴＦＴをスイッチとして利用してＬＣＤを駆動する方式であり、パッシブマトリックス表示方式はトランジスターを使用しないのでこれと関連した複雑な回路を必要としないという点である。
【０００７】
また、光源の利用方法に従って、バックライトを利用する透過型液晶表示装置と外部の光源を利用する反射型液晶表示装置の二種類に分類することができる。
【０００８】
バックライト（ｂａｃｋ  ｌｉｇｈｔ）を光源に使用する透過型液晶表示素子ではバックライトにより液晶表示素子の重量と体積とが増加するが、外部の光源を利用しない独立のディスプレー機能を有するので広く使用されている。
【０００９】
特に、通信機の技術的な発展に伴って携帯性が強調された小型の液晶表示装置に対する要求が高まっている。これにより、携帯型通信機及び移動が容易であるゲーム機などで使用されることができる軽量と小型という画質が優れた表示装置に対する開発が活発に進行している。
【００１０】
【発明が解決しようとする課題】
上述した問題点を解決するために提案された本発明は、重さを減少することができる液晶表示装置を提供することにある。
【００１１】
本発明の他の目的は、全体的な大きさを減少することができる液晶表示装置を提供することにある。
【００１２】
本発明のまた他の目的は、外部情報処理装置との結合が容易である液晶表示装置を提供することにある。
【００１３】
本発明のまた他の目的は、光の損失を最小化することができる液晶表示装置を提供することにある。
【００１４】
【発明の解決するための手段】
上述した目的を達成するための本発明による液晶表示装置は、光を発生するための光発生部と、前記光を、映像を表示するための表示部にガイドするための導光板と、前記導光板の下部に設けられ前記光を導光板側に反射するための反射板と、そして、前記反射板、導光板及び光発生部を収納するための収納容器とを含む。前記収納容器に基底面には、前記導光手段と前記光発生手段との間に位置し、前記光発生手段に当接して前記光発生部の位置をガイドするとともに、前記導光手段と前記光発生部との衝突を防止するための一つ以上のボスが形成される。
【００１５】
前記収納容器は、側壁と前記反射板の背面が露出されるように所定部分が開口された基底面とを有する第１収納容器と、前記第１収納容器と対向して結合し前記反射板、導光板及び光発生部が前記第１収納容器から離脱されることを防止するための第２収納容器から成り、前記一つ以上のボスは、前記第１収納容器の基底面の角部分に前記第１収納容器の側壁から所定の距離に離隔して各々形成される。
【００１６】
また、前記反射板の端部から所定の長さに延びて反射部が形成され、前記反射部は、前記光発生部の外側を取囲むように折り曲げられ、前記光発生部の上部まで延びるように形成される。
【００１７】
前記反射板の基底面には、前記第１収納容器の基底面に形成された一つ以上のボスと対応するように一つ以上の第１貫通ホールが形成され、前記一つ以上のボスと前記一つ以上の第１貫通ホールとの結合により前記反射板が収納位置にガイドされる。
【００１８】
前記光発生部は、一体形のランプを折り曲げて形成されたＵ字形ランプであり、前記一つ以上のボスと前記第１収納容器の側壁との間に収納される。そして、前記反射部は、前記ランプのＵ字形状に対応するように前記反射板の各端部から延びて形成された第１、第２及び第３反射部から成り、前記Ｕ字形ランプの第１折り曲げ部位の上部は、前記第１及び第２反射部の間の角部において前記第１折り曲げ部位と隣接する前記第１反射部の第１端部と前記第２反射部の第１端部との重畳部分によりカバーされ、前記Ｕ字形ランプの第２折り曲げ部位の上部は、前記第２及び第３反射部の間の角部において前記第２折り曲げ部位と隣接する前記第２反射部の第２端部と前記第３反射部の第２端部との重畳部分によりカバーされる。このとき、前記第１折り曲げ部位をカバーする前記第１反射部の第１端部は、前記第２反射部の第１端部より長く延びて形成され、前記第２折り曲げ部位をカバーする前記第３反射部の第２端部は、前記第２反射部の第２端部より長く延びて形成される。
【００１９】
前記第１収納容器の基底面は、前記Ｕ字形ランプに対応するように開口部が形成され、前記開口部により前記ランプからの熱を発散する。
【００２０】
前記導光板の上部に搭載され前記導光板から射出される光の視野角を変更し、前記表示手段に提供するための拡散シートをさらに含み、前記拡散シートは、前記第１収納容器の一側壁の上面に形成された複数の突起により収納位置にガイドされる。
【００２１】
前記第１収納容器と対向し結合して前記第２収納容器の上部に収納される前記表示部を前記第２収納容器に固定するためのトップシャーシ、及び前記第１収納容器の背面に結合しランプ及び前記表示部の駆動を制御するための印刷回路基板をさらに含む。前記トップシャーシの側壁から部分的に延びて結合部が形成され、前記結合部は、前記印刷回路基板の接地端に結合される。
【００２２】
前記光発生部は、両端に各々形成され外部からの駆動電力の入力を受けるための電力供給ラインを有し、前記電力供給ラインは、前記第１収納容器の一側壁から所定の距離に離隔して基底面上に形成された隔壁と一側壁との間の離隔空間を通じて前記第１及び第２収納容器の外部に引出される。
【００２３】
上述した目的を達成するための本発明による液晶表示装置は、映像を表示するための表示部と、前記表示部を収納するための収納容器と、そして、収納容器の背面に設けられ、前記表示部に駆動電力を提供する電力供給部を有し、前記電力供給部を収納するための開口部が形成された印刷回路基板とを含む。このとき、前記電力供給部は前記印刷回路基板に形成された開口部に所定の深さに挿入され収納される。
【００２４】
前記電力供給部は、外部からの電力を前記表示部に提供される駆動電力に変換するためのトランスフォーマである。
【００２５】
上述した目的を達成するための本発明による液晶表示装置は、映像を表示するための表示部と、前記表示部を収納するための収納部と、前記収納部の背面に設けられ、前記表示部に駆動電力を提供するための電力供給部及び前記表示部に提供される信号を変換するための信号変換部を有する第１印刷回路基板と、前記第１印刷回路基板と分離された第２印刷回路基板に設けられ、前記電力供給部と電力供給ラインを通じて連結され外部から入力される電力を前記電力供給部に提供するための第１コネクタと、前記第１及び第２印刷回路基板と分離された第３印刷回路基板に設けられ、前記信号変換部とデータ転送ラインを通じて連結され外部から入力されるデータ信号を前記信号変換部に提供するための第２コネクタと、前記表示部側から結合されるフロントケースと、前記フロントケースと対向し結合するリアケースとを含む。このとき、前記フロントケース又はリアケースには前記第１及び第２コネクタが外部に露出されるように、前記第２及び第３印刷回路基板を収納するための第１及び第２開口部が互いに所定距離に離隔され形成され、前記第１及び第２開口部に各々収納された前記第１及び第２コネクタはケースに沿って互いに対し遠ざかりまたは近づく方向に移動可能である。
【００２６】
前記第１印刷回路基板には、前記電力供給部を収納するための第３開口部が形成され、前記電力供給部は前記第３開口部に所定の深さに挿入され収納される。そして、前記電力供給部は、外部からの電力を前記表示部に提供される駆動電力に変換するためのトランスフォーマである。
【００２７】
上述した目的を達成するための本発明による液晶表示装置は、光を発生するための光発生部と、前記光を、映像を表示するための表示手段にガイドするための導光板と、前記導光板の下部に設けられ前記光を前記導光板側に反射するための反射板と、前記反射板、導光板及び光発生部を収納するための収納手段を含む。このとき、前記反射板は、端部から所定の長さに延びる反射部が形成され、前記反射板は前記光発生部の外側を取囲むように折り曲げられ、前記光発生部の上部まで延びて形成される。
【００２８】
このような、液晶表示装置によると、液晶表示装置に使用される部品の数を減少させることができ、別途のランプカバーを使用する場合に比べ液晶表示装置の組立工程を単純化することができるので、液晶表示装置の製造費用を減少させることができる。
【００２９】
また、ランプ及び液晶表示パネルに駆動電力を提供するトランスフォーマは、前記収納容器の背面に設けられる印刷回路基板に形成された開口部に所定の深さに挿入され収納されるので、前記開口部にトランスフォーマが収納される深さの分、液晶表示装置の全体的な厚さを減少することができる。
【００３０】
【発明の実施の形態】
図１は本発明の望ましい実施形態による液晶表示装置の分解斜視図である。
【００３１】
図１を参照すれば、液晶表示装置１０００は画像信号が印加され画面を表示するための液晶表示モジュールと液晶表示モジュールを収納するためのフロントケース及びリアケースにより構成されたケース（図示せず）を含む。
【００３２】
前記液晶表示モジュールは画面を示す液晶表示パネルを含むディスプレーユニット２００及び前記ディスプレーユニット２００に光を提供するためのバックライトアセンブリ９００から成る。そして、前記ディスプレーユニット２００は、前記バックライトアセンブリ９００の上部に搭載され、前記バックライトアセンブリ９００と対向し結合するトップシャーシ１００により前記バックライトアセンブリ９００の上部に固定される。
【００３３】
前記バックライトアセンブリ９００は、光を発生するランプ５００、前記光をディスプレーユニット２００にガイドする導光板６００、前記導光板６００からの光を反射する反射板７００、前記導光板６００の上部に配され前記導光板６００からの光の視野角を調節する拡散シート類４００、前記反射板７００、導光板６００、ランプ５００及び拡散シート類４００などを収納する下モールドフレーム８００、そして前記下モールドフレーム８００と対向し結合して、前記反射板７００、導光板６００、ランプ５００及び拡散シート類４００などを固定するための上モールドフレーム３００から成る。
【００３４】
図２乃至図１２を参照して、前記液晶表示装置１０００の前記ディスプレーユニット２００及びバックライトアセンブリ９００の構成をより詳細に説明する。
【００３５】
図２及び図３は、図１に図示された前記下モールドフレーム８００の構造を具体的に示した斜視図及び平面図である。
【００３６】
図２及び図３を参照すれば、前記下モールドフレーム８００は、一体に連結された第１乃至第４側壁８１０、８１２、８１４、８１６と、第１乃至第４側壁８１０、８１２、８１４、８１６から各々延びて形成された第１乃至第４基底面８２０、８２２、８２４、８２６とから成る。前記第１乃至第４基底面８２０、８２２、８２４、８２６から成る前記下モールドフレーム８００の基底面の中央部は、前記反射板７００の背面が露出されるように所定の大きさで開口された形態を有する。
【００３７】
前記下モールドフレーム８００の各角部の基底面の上には、前記第１乃至第４側壁８１０、８１２、８１４、８１６から所定の距離に離隔して、導光手段としての導光板６００と光発生手段としてのランプ５００との間に位置し、ランプ５００に当接してランプ５００の位置をガイドするとともに、導光板６００とランプ５００との衝突を防止するための一つ以上のボスとしての各々第１乃至第４突起８３２、８３４、８３６、８３８が形成される。前記第１乃至第４突起８３２、８３４、８３６、８３８は前記ランプ５００及び導光板６００の位置を固定し、前記導光板６００の移動により前記ランプ５００が損傷することを防止する。これに関しては後述する。
【００３８】
一方、前記第１、第２及び第３基底面８２０、８２２、８２４には、所定の大きさを有する多数の開口部８２８が形成され、前記反射板７００を隔てて前記下モールドフレーム８００の第１、第２及び第３基底面８２０、８２２、８２４上に設けられる前記ランプ５００からの熱は、前記多数の開口部８２８を通じて外部へ容易に放出される。次の図面を参照して詳細に説明するが、前記開口部８２８が前記第１、第２及び第３基底面８２０、８２２、８２４にのみ形成されるのは、本発明による液晶表示装置１０００に用いられる前記ランプ５００が Ｕ字の形態を有するためである。従って、前記ランプ５００の形状がＬ字状または一直線に形成されると、前記開口部８２８は前記ランプ５００が置かれる基底面にのみ形成される。
【００３９】
前記開口部８２８が形成されない前記第４基底面８２６の上には、前記第４側壁８１６から所定の距離に離隔して隔壁８４０が形成される。前記第４側壁８１６と前記隔壁８４０によりこれらの間には、グルーブ形態のガイド通路８４６が形成され、前記ランプ５００の電力供給ラインは前記ガイド通路８４６によりガイドされ、前記第４側壁８１６の一部分を開口して形成した引出溝８５０を通じて外部に引出される。
【００４０】
図示されたように、前記引出溝８５０は第４側壁８１６の右端付近または左端付近に形成されるが、これは前記ランプ５００の高電圧が印加される側に近く形成されるためである。また、前記隔壁８４０の上面には、光調節手段としての拡散シート類４００の収納位置をガイドするための複数の突起としての第５及び第６突起８４２、８４４が互いに所定の距離に離隔され形成される。説明から分かるように、前記第５及び第６突起８４２、８４４は前記導光板６００の上面に定着される前記拡散シート類４００の結合穴に収納され前記拡散シート類４００の収納位置をガイドする。
【００４１】
一方、前記下モールドフレーム８００の第１乃至第４側壁８１０、８１２、８１４、８１６の外壁には多数の突起が形成される。具体的には、前記第１側壁８１０には前記第１及び第２結合突起８６１、８６３が形成され、前記第１側壁８１０と対向する前記第４側壁８１６には第３及び第４結合突起８６５、８６７が形成され、前記第２側壁には、第５結合突起８６９が各々形成される。前記第１乃至第５結合突起８６１、８６３、８６５、８６７、８６９は、次の図面で説明される前記上モールドフレーム３００の結合穴と結合し、前記反射板７００、導光板６００、ランプ５００及び拡散シート類４００などの移動を防止する。
【００４２】
また、前記第１側壁８１０には第１及び第２固定突起８７１ａ、８７２ａが形成され、前記第４側壁８１６には第３及び第４固定突起８７３ａ、８７４ａが形成され、前記第２側壁８１２には第５及び第６固定突起８７５ａ、８７６ａが形成され、そして前記第２側壁８１２と対向する前記第３側壁８１４には第７及び第８固定突起８７８、８７９が各々形成される。前記第１、第２、第３、第４、第５、第６、第７及び第８固定突起８７１ａ、８７２ａ、８７３ａ、８７４ａ、８７５ａ、８７６ａ、８７８、８７９は前記トップシャーシ１００に形成される固定穴と結合して前記上モールドフレーム３００の上面に搭載される前記ディスプレーユニット２００の位置を固定する。
【００４３】
このとき、前記第１、第２、第３、第４、第５及び第６固定突起８７１ａ、８７２ａ、８７３ａ、８７４ａ、８７５ａ、８７６ａは、前記第１、第２及び第４側壁８１０、８１２、８１６から突出して形成された第１、第２、第３、第４、第５及び第６エンボシング８７１、８７２、８７３、８７４、８７５、８７６上に各々形成される。このように、エンボシングを形成して前記第１、第２、第３、第４、第５及び第６固定突起８７１ａ、８７２ａ、８７３ａ、８７４ａ、８７５ａ、８７６ａを前記第１乃至第５結合突起８６１、８６３、８６５、８６７、８６９より前記下モールドフレーム８００の外側に突出して形成することにより、前記トップシャーシ１００に形成される固定穴と前記第１、第２、第３、第４、第５及第６固定突起８７１ａ、８７２ａ、８７３ａ、８７４ａ、８７５ａ、８７６ａとを容易に結合することができる。
【００４４】
図４及び図５は、図１に図示された前記上モールドフレーム３００の構造を具体的に示した斜視図及び平面図である。
【００４５】
図４及び図５を参照すれば、前記上モールドフレーム３００は前記ディスプレーユニット２００の有効ディスプレー領域より広い大きさに基底面３２０が開口され、開口された基底面３２０の縁部は前記ディスプレーユニット２００を収納するための所定の深さで凹陥している。そして、前記フレキシブルに形成される前記ディスプレーユニット２００の印刷回路基板が前記上モールドフレーム３００の一側壁に沿って折り曲げられ、前記下モールドフレーム８００の背面に容易にガイドされるように、前記基底面３２０の凹陥した縁部３１０の一端が開放されている。
【００４６】
一方、前記下モールドフレーム８００の第１側壁８１０と対応する上モールドフレーム３００の側壁には、前記第１及び第２結合突起８６１、８６３と各々結合される第１及び第２結合穴３３１，３３３が該当側壁を貫通して形成される。また、前記下モールドフレーム８００の第４側壁８１６と対応する前記上モールドフレーム３００の側壁には前記第３及び第４結合突起８６５、８６７と各々結合される第３及び第４結合穴３３５，３３７が該当側壁を貫通して形成され、前記下モールドフレーム８００の第２側壁８１２と対応する前記上モールドフレーム３００の側壁には前記第５結合突起８６９と結合される第５結合穴３３９が該当側壁を貫通して形成される。上述したように、前記下モールドフレーム８００の第１乃至第５結合突起８６１、８６３、８６５、８６７、８６９と前記上モールドフレーム３００の第１乃至第５結合穴３３１、３３３、３３５、３３７、３３９との結合により、前記上モールドフレーム３００と下モールドフレーム８００とが結合される。
【００４７】
また、前記下モールドフレーム８００の第１側壁８１０と対応する前記上モールドフレーム３００の側壁には、前記第１及び第２エンボシング８７１、８７２が外部に露出されるように側壁の一部分を除去して第１及び第２ガイド溝３４０、３４１が形成される。そして、前記下モールドフレーム８００の第４側壁８１６と対応する前記上モールドフレーム３００の側壁には前記第３及び第４エンボシング８７３、８７４が外部に露出されるように側壁の一部分を除去して第３及び第４ガイド溝３４３、３４５が形成され、前記下モールドフレーム８００の第２側壁８１２と対応する前記上モールドフレーム３００の側壁には前記第５及び第６エンボシング８７５、８７６が外部に露出されるように側壁の一部分を除去し、第５及び第６ガイド溝３４７、３４９が形成される。従って、前記トップシャーシ１００を固定するための前記第１、第２、第３、第４、第５、第６、第７及び第８固定突起８７１ａ、８７２ａ、８７３ａ、８７４ａ、８７５ａ、８７６ａ、８７８、８７９が前記上モールドフレーム３００の外部に十分に露出されるようにすることができる。
【００４８】
図６及び図７は図１に図示された前記トップシャーシ１００の構造を具体的に示した斜視図及び平面図である。
【００４９】
図６及び図７を参照すれば、前記トップシャーシ１００は前記ディスプレーユニット２００の有効ディスプレー領域が露出されるように開口された基底面１１０、及び前記下モールドフレーム８００の第１乃至第４側壁８１０、８１２、８１４、８１６に対応する側壁から成る。また、前記トップシャーシ１００は、前記下モールドフレーム８００と対向し結合して前記上モールドフレーム３００の上面に収納される前記ディスプレーユニット２００を固定する。
【００５０】
トップシャーシ１００を下モールドフレーム８００に結合するために、前記下モールドフレーム８００の第１側壁８１０と対応する前記トップシャーシ１００の側壁には、前記第１及び第２固定突起８７１ａ、８７２ａと各々結合される第１及び第２固定穴１２１、１２２が該当側壁を貫通して形成され、前記下モールドフレーム８００の第４側壁８１６と対応する前記トップシャーシ１００の側壁には前記第３及び第４固定突起８７３ａ、８７４ａと各々結合される第３及び第４固定穴１２３、１２４が該当側壁を貫通して形成される。
【００５１】
また、前記下モールドフレーム８００の第２側壁８１２と対応する前記トップシャーシ１００の側壁には、前記第５及び第６固定突起８７５ａ、８７６ａと各々結合される第５及び第６固定穴１２５、１２６が該当側壁を貫通して形成され、前記下モールドフレーム８００の第４側壁８１６と対応する前記トップシャーシ１００の側壁には前記第７及び第８固定突起８７８、８７９と各々結合される第７及び第８固定穴１２７、１２８が該当側壁を貫通して形成される。
【００５２】
上述したように、前記下モールドフレーム８００の第１、第２、第３、第４、第５、第６、第７及び第８固定突起８７１ａ、８７２ａ、８７３ａ、８７４ａ、８７５ａ、８７６ａ、８７８、８７９と前記トップシャーシ１００の第１乃至第８固定穴１２１、１２２、１２３、１２４、１２５、１２６、１２７、１２８とが互いに対応するように結合されると、前記上モールドフレーム３００の上面に収納された前記ディスプレーユニット２００の移動及び離脱が防止される。また、前記ディスプレーユニット２００の可撓性印刷回路基板は、前記下モールドフレーム８００の第３側壁８１４と対応して結合される前記トップシャーシ１００の側壁により前記下モールドフレーム８００の背面側に折り曲げられる。
【００５３】
一方、前記トップシャーシ１００の対応する両側壁、即ち、前記下モールドフレーム８００の第１及び第４側壁８１０、８１６と各々対応する側壁には、該当側壁と直交するように外側に延びる第１乃至第４固定片１３２、１３４、１３６、１３８が形成される。
【００５４】
上述したように、組立てられた液晶表示装置１０００は前記ディスプレーユニット２００及びバックライトアセンブリ９００を駆動するための電力を提供するインバータ回路及びＡ／Ｄ回路が実装された印刷回路基板（図示せず）に設けられる。この時、第１乃至第４固定片１３２、１３４、１３６、１３８は前記印刷回路基板（図示せず）に形成される固定穴にねじ結合され前記液晶表示装置１０００と印刷回路基板（図示せず）との結合力を提供する。また、前記第１乃至第４固定片１３２、１３４、１３６、１３８は前記印刷回路基板（図示せず）の固定穴と結合されながら前記トップシャーシ１００を接地させる接地片としての機能を有するが、これに関しては後述する。
【００５５】
上述したような、下モールドフレーム８００及び上モールドフレーム３００との間に収納される前記反射板７００、導光板６００、ランプ５００、拡散シート類４００そして前記上モールドフレーム３００とトップシャーシ１００との間に収納される前記ディスプレーユニット２００の構造は次のとおりである。
【００５６】
図８は、図１に図示された反射板７００の構造を示した斜視図であり、図９は図１に図示されたランプ５００の構造を示した斜視図であり、図１０は図１に図示された導光板６００の構造を示した斜視図であり、図１１は図１に図示された拡散シート類４００の構造を示した斜視図であり、図１２は図１に図示されたディスプレーユニット２００の構造を示した斜視図である。
【００５７】
まず、図８を参照すれば、前記反射板７００は前記導光板６００から下側に漏洩する光を前記ディスプレーユニット２００側に反射するための反射基底面７１０と前記ランプ５００から射出される光を前記導光板６００側に反射するための第１乃至第３反射壁７２０、７３０、７４０とから成る。
【００５８】
前記第１乃至第３反射壁７２０、７３０、７４０は前記下モールドフレーム８００の第１、第２及び第３側壁８１０、８１２、８１４と対応する反射基底面７１０の端部から各々延びて形成される。具体的には、前記第１乃至第３反射壁７２０、７３０、７４０は前記反射基底面７１０と直交するように折り曲げられ前記ランプ５００の外側を取囲む第１乃至第３反射側壁部７２２、７３２、７４２と、前記反射基底面７１０と平行となるように前記第１乃至第３反射側壁部７２２、７３２、７４２から折り曲げられ、前記ランプ５００の上面を覆う第１乃至第３反射蓋部７２４、７３４、７４４とから成る。また、前記第２及び第３反射蓋部７３４、７４４の両端のうち、前記第１反射壁７２０側の端部の所定領域は前記第２及び第３反射蓋部７３４、７４４より長く延びて第１及び第２羽７３６、７４６を形成する。
【００５９】
一方、前記反射基底面７１０の４つの角部分には前記下モールドフレーム８００の基底面の４つの角部分に形成された第１乃至第４突起８３２、８３４、８３６、８３８と各々対応するように第１乃至第４開口部７５２、７５４、７５６、７５８が形成される。
【００６０】
図９を参照すれば、前記ランプ５００はＵ字形状を有する。前記ランプ５００の両端には、前記ランプ５００の一端に高電圧を印加する第１電力供給ライン５３２及び前記ランプ５００の他端に低電圧を印加する第２電力供給ライン５３４が電気的に接続される。そして、前記ランプ５００の両端には前記第１及び第２ランプホルダー５２２、５２４がそれぞれ結合され、前記ランプ５００に対する前記第１及び第２電力供給ライン５３２、５３４の接続状態を維持する。前記ランプ５００を前記下モールドフレーム８００に収納する構造に関しては、後述する。
【００６１】
一方、図１０を参照すれば、前記導光板６００は前記ディスプレーユニット２００に対応するように長方形に形成され、両端の厚さが同一なエッジ形が用いられる。また、図面には図示されなかったが、前記導光板６００には前記ランプ５００から射出される光の反射効率を向上するために印刷パターンが形成され、前記印刷パターンは、前記ランプ５００から遠ざかるほど印刷パターン間の間隔が稠密であるように形成される。
【００６２】
また、前記導光板６００の４つの角部は、前記導光板６００を前記下モールドフレーム８００に収納するとき、前記下モールドフレーム８００の第１乃至第４突起８３２、８３４、８３６、８３８と結合して前記導光板６００が移動されることを防止することができるように部分的に切開され、第１乃至第４キャッチングジョー６１２、６１４、６１６、６１８が形成される。
【００６３】
図１１を参照すれば、前記拡散シート類４００は前記光に対する視野角の広がる方向が相異する第１及び第２拡散シート４１０、４２０からなる。即ち、前記第１拡散シート４１０が前記導光板６００を通じて射出される前記光を“Ｘ”軸方向に拡散させると、前記第２拡散シート４２０は前記光を“Ｙ”軸方向に拡散させ、前記ディスプレーユニット２００を通じて表示される映像の視野角を全体的に広げることができるものである。
【００６４】
前記第１及び第２拡散シート４１０、４２０は同一の形状を有する。具体的に、前記第１及び第２拡散シート４１０、４２０の一端部には、拡散シートから部分的に延びる第１及び第２突出部４１２、４１４が形成され、前記第１及び第２突出部４１２、４１４を貫通して前記下モールドフレーム８００の隔壁８４０上に形成された第５及び第６突起８４２、８４４と結合される第７及び第８結合穴４１２ａ、４１４ａが各々形成される。
【００６５】
図１２を参照すれば、前記拡散シート類４００に結合される前記上モールドフレーム３００の上面には、前記導光板６００及び拡散シート類４００を通じて前記ランプ５００から提供される光に対応する映像を表示するディスプレーユニット２００が提供される。
【００６６】
前記ディスプレーユニット２００は液晶表示パネル２１０、ゲートドライバーＩＣ２２０、データドライバーＩＣ２３０及び、ゲート及びデータ印刷回路基板（図示せず）から提供されるゲート及びデータ駆動信号を各々前記ゲートドライバーＩＣ２２０及びデータドライバーＩＣ２３０に提供するための配線パターンが形成された可撓性印刷回路基板２４０を含む。前記ゲートドライバーＩＣ２２０は前記液晶表示パネル２１０の一側に形成され、前記データドライバーＩＣ２３０は前記液晶表示パネル２１０の異なる一側に複数形成される。前記ゲートドライバーＩＣ２２０にゲート駆動信号を転送するための信号転送ラインは、前記液晶表示パネル２１０の非活性領域を通じて前記可撓性印刷回路基板２４０に延びて形成される。
【００６７】
即ち、前記可撓性印刷回路基板２４０には、前記ゲートドライバーＩＣ２２０及びデータドライバーＩＣ２３０の信号転送ラインのパターンが統合して形成され、可撓性印刷回路基板２４０の一端には前記液晶表示装置１０００の背面に結合される印刷回路基板（図示せず）のゲート及びデータ印刷回路基板と電気的に連結される連結端子２５０が形成される。
【００６８】
前記液晶表示パネル２１０は薄膜トランジスター基板２１４とカラーフィルタ基板２１２及び液晶（図示せず）を含む。
【００６９】
薄膜トランジスター基板２１４は、マトリックス状の薄膜トランジスターが形成されている透明なガラス基板である。前記薄膜トランジスターのソース端子にはデータラインが連結され、ゲート端子にはゲートラインが連結される。かつ、ドレーン端子は透明な導電性材質であるインジウムティンオキサイド（ＩＴＯ）で構成される画素電極によって形成される。
【００７０】
データライン及びゲートラインに電気信号を入力すると、各々の薄膜トランジスターのソース端子とゲート端子に電気信号が入力され、この電気的な信号の入力に従って薄膜トランジスターはターンオンまたはターンオフされて、ドレーン端子を介して画素形成に必要な電気信号が出力される。
【００７１】
前記薄膜トランジスター基板２１４に対向してカラーフィルタ基板２１２が具備されている。カラーフィルタ基板２１２は光が通過すると所定の色が発現される色画素であるＲＧＢ画素が薄膜工程により形成された基板である。カラーフィルタ基板２１２の前面にはＩＴＯから成る共通電極が塗布されている。
【００７２】
前述した薄膜トランジスター基板２１４のトランジスターのゲート端子及びソース端子には電圧が印加されており、薄膜トランジスターがターンオンされると、画素電極とカラーフィルタ基板２１２の共通電極との間には電界が形成される。このような電界により薄膜トランジスター基板２１４とカラーフィルタ基板２１２との間に注入された液晶の配列角が変化し、変化した配列角に従って光透過率が変更されて所望の画素を得ることになる。
【００７３】
前記液晶表示パネル２１０の液晶の配列角と液晶が配列される時期とを制御するために、薄膜トランジスターのゲートライン及びデータラインに印加される駆動信号及びタイミング信号は、前記ゲートドライバーＩＣ２２０及びデータドライバーＩＣ２３０の信号転送ラインパターンを通じて前記ゲート及びデータ印刷回路基板（図示せず）から提供される。
【００７４】
即ち、ゲート及びデータ印刷回路基板（図示せず）は液晶表示装置を駆動するための信号であるゲート駆動信号、データ信号及びこれら信号を適切な時期に印加するための複数のタイミング信号を発生させ、ゲート駆動信号は前記ゲートドライバーＩＣ２２０を通じて液晶表示パネル２１０のゲートラインに印加され、データ信号はデータドライバーＩＣ２３０を通じて液晶表示パネル２１０のデータラインに印加される。
【００７５】
図１３乃至図１９を参照して上述した液晶表示装置の結合構造をより詳細に説明する。
【００７６】
図１３は、図１に図示された下モールドフレームに前記反射板及びランプを結合した構造を示した図面である。図１４及び図１５は図１３に図示された下モールドフレーム、反射板及びランプの結合構造を詳細に示した部分切開斜視図である。
【００７７】
まず、図１３に図示されたように、前記下モールドフレーム８００の第１乃至第４基底面８２０、８２２、８２４、８２６上に形成された前記第１乃至第４突起８３２、８３４、８３６、８３８と前記反射板７００の反射基底面７１０に形成された第１乃至第４開口部７５２、７５４、７５６、７５８とが各々対応するように前記反射板７００を前記下モールドフレーム８００に収納する。
【００７８】
前記下モールドフレーム８００に収納された前記反射板７００は前記第１乃至第４開口部７５２、７５４、７５６、７５８を各々貫通する前記第１乃至第４突起８３２、８３４、８３６、８３８によって移動が防止される。このとき、前記反射板７００の第１、第２及び第３反射壁７２０、７３０、７４０は前記下モールドフレーム８００の基底面と直交する方向、即ち、前記下モールドフレーム８００の第１、第２及び第３側壁８１０、８１２、８１４と対応するように上方に折り曲げられる。
【００７９】
このように、前記反射板７００が収納された状態で、前記Ｕ字形状のランプ５００が前記下モールドフレーム８００の第１、第２及び第３側壁８１０、８１２、８１４に各々対応するように前記下モールドフレーム８００に収納される。具体的に、前記Ｕ字形状のランプ５００の第１折り曲げ部５１２は、前記下モールドフレーム８００の第１突起８３２と前記第１及び第２側壁８１０、８１２から成る角との間に収納され、前記Ｕ字形状のランプ５００の第２折り曲げ部５１４は前記下モールドフレーム８００の第２突起８３４と前記第１及び第３側壁８１０、８１４から成る角との間に収納される。そして、前記ランプ５００の第１ランプホルダー５２２は前記下モールドフレーム８００の第３突起８３６と前記第２及び第４側壁８１２、８１６から成る角との間に収納され、前記ランプ５００の第２ランプホルダー５２４は前記下モールドフレーム８００の第４突起８３８と前記第３及び第４側壁８１４、８１６から成る角との間に収納される。
前記第１乃至第４突起は、それぞれランプ５００の第１折り曲げ部５１２、第２折り曲げ部５１４、第１ランプホルダー５２２、及び第２ランプホルダー５２４に当接して、ランプ５００の位置をガイドする。
【００８０】
上述したように、前記ランプ５００を前記下モールドフレーム８００に収納すると、前記ランプ５００が収納される位置はだいたい前記下モールドフレーム８００の基底面に形成された多数の開口部８２８に対応する。即ち、前記ランプ５００はそれ自身から発生される熱を外部に放出するための前記多数の開口部８２８と対応する位置に収納されるものである。
【００８１】
一方、図１４及び図１５に図示されたように、前記第２及び第３反射蓋部７３４、７４４に各々形成された第１及び第２羽７３６、７４６は、前記第１、第２及び第３反射蓋部７２４、７３４、７４４が前記ランプ５００の上部をカバーするように折り曲げられるとき、前記第１及び第２突起８３２、８３４、そして前記導光板６００の第１及び第２キャッチングジョー６１２、６１４を完全にカバーする。
【００８２】
万一、前記第１及び第２羽７３６、７４６が形成されないと、前記第１及び第２突起８３２、８３４、そして前記第１及び第２キャッチングジョー６１２、６１４が前記第１、第２及び第３反射蓋部７２４、７３４、７４４により完全にカバーされず、前記ランプ５００からの光が漏洩される光漏れ現象が発生する場合がある。
【００８３】
これとは異なり、前記第１反射蓋部７２４の両端部を前記第１及び第２羽７３６、７４６のように延びる羽部を形成した場合には、前記第２及び第３反射蓋部７３４、７４４の前記第１及び第２羽７３６、７４６を形成しなくても、前記第１及び第２突起８３２、８３４、そして前記導光板６００の第１及び第２キャッチングジョー６１２、６１４をカバーするという同一の効果を得ることができる。
【００８４】
図１６は、図１３に図示された液晶表示装置をＡの方向で示した側面図であり、図１７は図１３に図示された下モールドフレーム及び電力供給ラインの結合構造を詳細に示した部分切開斜視図である。
【００８５】
上述した図９に図示されたように、前記ランプ５００の両端には各々第１及び第２電力供給ライン５３２、５３４が電気的に接続されている。前記第１電力供給ライン５３２は外部からの高電圧を前記ランプ５００の一端に提供し、前記第２電力供給ライン５３４は前記ランプ５００の他の一端を接地レベルに維持する。
【００８６】
前記第１及び第２電力供給ライン５３２、５３４は前記下モールドフレーム８００の第４側壁８１６と隔壁８４０により形成された前記ガイド通路８４６を通じて前記引出溝８５０にガイドされる。そして、図１６に図示されたように、前記第１及び第２電力供給ライン５３２、５３４は前記引出溝８５０に挿入され前記下モールドフレーム８００の外部に引出される。
【００８７】
このとき、前記引出溝８５０は前記第４側壁８１６で前記第３突起８３６側に隣接して形成されることが望ましい。その理由は、前記引出溝８５０が前記第４側壁８１６の中央部や前記第４突起８３８に隣接して形成されると、外部からの高電圧を前記ランプ５００に提供する前記第１電力供給ライン５３２が前記第２電力供給ライン５３４と同一の長さに、又はさらに長く形成されるためである。
【００８８】
万一、前記ランプ５００に高電圧を提供する前記第１電力供給ライン５３２が長く形成されると、前記第１電力供給ライン５３２に提供される高電圧から発生される熱により前記液晶表示装置１０００の周辺回路部品の誤作動が発生する可能性がある。従って、図１６及び図１７に図示されたように、接地レベルに維持される前記第２電力供給ライン５３４が前記第１電力供給ライン５３２より長く形成され、前記引出溝８５０は前記第４側壁８１６で前記第３突起８３６に隣接して形成される。
【００８９】
次は、図１８乃至図２０を参照して図１に図示された液晶表示装置の結合過程及び結合構造を詳細に説明する。
【００９０】
図１８は、図１に図示された液晶表示装置を組立てた外観を示した斜視図であり、図１９は図１８に図示された液晶表示装置の結合構造をＢ−Ｂ′の方向に示した断面図であり、図２０は図１８に図示された液晶表示装置の結合構造をＣ−Ｃ′の方向に示した断面図である。
【００９１】
図１３に図示された前記下モールドフレーム８００に前記反射板７００、ランプ５００、導光板６００及び拡散シート類４００を順次に収納した後、前記上モールドフレーム３００を前記下モールドフレーム８００と結合する。次いで、前記上モールドフレーム３００の上面に前記ディスプレーユニット２００を載置し、前記トップシャーシ１００を結合すると、図１８に図示されたような液晶表示装置が完成される。
【００９２】
図１９及び図２０を参照して図１８に図示された液晶表示装置の結合過程及び構造を詳細に説明する。
【００９３】
まず、前記下モールドフレーム８００に前記反射板７００及びランプ５００を図１３に図示されたように収納した後、前記第１乃至第４キャッチングジョー６１２、６１４、６１６、６１８と前記第１乃至第４突起８３２、８３４、８３６、８３８が各々対応するように前記反射板７００の反射基底面７１０上に前記導光板６００を定着する。このとき、前記第１乃至第４突起８３２、８３４、８３６、８３８は前記ランプ５００及び導光板６００の移動を防止するだけでなく、前記導光板６００の移動により前記ランプ５００が損傷することを防止する。
【００９４】
次、前記導光板６００の上部に前記拡散シート類４００を設ける。前述したように、前記拡散シート類４００は前記第１及び第２突出部４１２、４１４に各々形成された第７及び第８結合穴４１２ａ、４１４ａを貫通する前記隔壁８４０の第５及び第６突起８４２、８４４との結合により設置位置にガイドされる。このとき、前記ランプ５００の第１及び第２電力供給ライン５３２、５３４は前記ガイド通路８４６及び引出溝８５０を通じて前記下モールドフレーム８００の外部に引出された状態である。
【００９５】
また、前記隔壁８４０の第５及び第６突起８４２、８４４は前記ガイド通路８４６に収納されガイドされた前記第１及び第２電力供給ライン５３２、５３４の離脱を防止するために、前記ガイド通路８４６に若干突出して形成される。万一、前記隔壁８４０の第５及び第６突起８４２、８４４を前記ガイド通路８４６側に突出して形成しない場合には、前記隔壁８４０の所定部分に前記第１及び第２電力供給ライン５３２、５３４を加圧することができる程度の突出部を形成し、前記第１及び第２電力供給ライン５３２、５３４の離脱を防止することもできる。
【００９６】
図１９及び図２０に図示されたように、前記反射板７００の第１、第２及び第３反射蓋部７２４、７３４、７４４を折り曲げて前記ランプ５００の上面をカバーする。以後、前記上モールドフレーム３００を前記下モールドフレーム８００と対向し結合すると、前記上モールドフレーム３００の側壁に形成された前記第１、第２、第３、第４及び第５結合穴３３１、３３３、３３５、３３７、３３９と前記下モールドフレーム８００の第１乃至第５結合突起８６１、８６３、８６５、８６７、８６９との結合により、前記上モールドフレーム３００と下モールドフレーム８００が堅固に組立てられる。また、前記上モールドフレーム３００と下モールドフレーム８００との間に収納された前記反射板７００、導光板６００、ランプ５００及び拡散シート類４００が安定的な収納状態を維持する。このとき、前記拡散シート類４００の基底面は前記上モールドフレーム３００の開口された基底面３２０で露出される。
【００９７】
次、前記上モールドフレーム３００の上面に前記ディスプレーユニット２００を搭載した後、前記トップシャーシ１００をディスプレーユニット２００の端部の所定部分を加圧するように前記下モールドフレーム８００と対向して結合する。
【００９８】
前記トップシャーシ１００は、前記トップシャーシ１００の側壁を貫通して形成された前記第１乃至第８固定穴１２１、１２２、１２３、１２４、１２５、１２６、１２７、１２８と前記下モールドフレーム８００の側壁に形成された第１、第２、第３、第４、第５、第６、第７及び第８固定突起８７１ａ、８７２ａ、８７３ａ、８７４ａ、８７５ａ、８７６ａ、８７８、８７９との結合により前記下モールドフレーム８００と堅固に結合される。このような液晶表示装置１０００の結合構造が図１４及び図１５に詳細に図示されている。
【００９９】
一方、上述したような液晶表示装置１０００は、映像を表示する液晶表示装置として固有の機能を実施するために、駆動電力及び映像データ信号を必要とする。
【０１００】
次は、図２１乃至図２２を参照して前記液晶表示装置を駆動するための駆動電力を提供するインバータ回路及び前記映像データ信号を提供するデータ変換回路（Ａ／Ｄ回路）などが実装された印刷回路基板及び前記液晶表示装置と印刷回路基板を収納するためのケースなどを説明する。
【０１０１】
図２１は図１８に図示された液晶表示装置の駆動を制御するための印刷回路基板を示した平面図であり、図２２は図１８に図示された液晶表示装置と図２１に図示された印刷回路基板の結合状態を示した斜視図である。
【０１０２】
図２１及び図２２を参照すると、前記印刷回路基板１１００には前記トップシャーシ１００の第１乃至第４固定片１３２、１３４、１３６、１３８に対応する位置に第１乃至第４接地パターン１３２ａ、１３４ａ、１３６ａ、１３８ａが形成される。
【０１０３】
また、前記第１乃至第４接地パターン１３２ａ、１３４ａ、１３６ａ、１３８ａには前記印刷回路基板１１００を部分的に除去し、前記第１乃至第４固定片１３２、１３４、１３６、１３８の各々に形成された通穴と対応される盲穴（ｂｌｉｎｄ  ｈｏｌｅ）が各々形成される。
【０１０４】
前記印刷回路基板１１００の上部及び下部には各々前記印刷回路基板１１００を所定の大きさで切開して第１収納部１１１０及び第２収納部１１２０が各々形成される。
【０１０５】
前記第１収納部１１１０には前記液晶表示装置１０００を駆動するための駆動電力が外部から提供され、所定の電圧レベルに変圧した後、前記ランプ５００及びディスプレーユニット２００に提供するためのインバータ回路のトランスフォーマ１１３０が収納される。このために、前記印刷回路基板１１００の下部には前記外部電力を前記トランスフォーマ１１３０側に提供するための電源端子１１５０が電気的に接続されている。
【０１０６】
一方、前記液晶表示装置１０００が前記印刷回路基板１１００に結合されると、前記トップシャーシ１００と前記下モールドフレーム８００との結合により前記下モールドフレーム８００の背面に折り曲げられた前記ディスプレーユニット２００の可撓性印刷回路基板２４０は前記第２収納部１１２０を通じて前記印刷回路基板１１００の背面に引出される。
【０１０７】
図面には図示されなかったが、前記可撓性印刷回路基板２４０の連結端子２５０は前記印刷回路基板１１００の背面で前記映像データ信号及びディスプレーユニット２００を駆動するための電力を提供するコネクタと連結される。
【０１０８】
これのために、前記印刷回路基板１１００の下部には前記外部映像データ信号の入力を受けて、前記印刷回路基板１１００に提供するデータ端子１１６０が接続されている。そして、前記印刷回路基板１１００の所定部分には、前記データ端子１１６０を通じてアナログ信号として入力される前記外部映像データ信号をデジタル映像データ信号に変換し、前記連結端子２５０と接続された前記コネクタに提供するためのＡ／Ｄ回路１１４０が実装されている。
【０１０９】
前記液晶表示装置１０００は図２２に図示されたように、前記トップシャーシ１００の第１乃至第４固定片１３２、１３４、１３６、１３８の通り穴を貫通し、前記第１乃至第４接地パターン１３２ａ、１３４ａ、１３６ａ、１３８ａの盲穴（ｂｌｉｎｄ  ｈｏｌｅ）に進行する第１乃至第４スクリュー１３２ｂ、１３４ｂ、１３６ｂ、１３８ｂにより前記印刷回路基板１１００に固定される。
【０１１０】
図２３は図２２に図示されたトランスフォーマの実装構造を示した断面図である。
【０１１１】
上述したように、前記トランスフォーマ１１３０を実装するために前記印刷回路基板１１００を所定の大きさに切り開いて前記第１収納部１１１０が形成される。そして、前記トランスフォーマ１１３０は前記第１収納部１１１０の内部に収納するので、前記トランスフォーマ１１３０による前記印刷回路基板１１００の厚さの増加を最小化することができる。
【０１１２】
即ち、前記トランスフォーマ１１３０が前記印刷回路基板１１００の表面に実装されると、多様な回路部品が実装される前記印刷回路基板１１００の厚さは前記印刷回路基板１１００の厚さ“ｔ１”に前記トランスフォーマ１１３０の厚さを合算した寸法を超過する。しかし、前記印刷回路基板１１００に前記第１収納部１１１０のような開口部を形成した後、前記トランスフォーマ１１３０を前記第１収納部１１１０に収納すると、前記印刷回路基板１１００の厚さ“ｔ１”に該当する分だけ前記トランスフォーマ１１３０が占める高さが減少する。従って、前記第１収納部１１１０に収納された前記トランスフォーマ１１３０の突出高さは、前記印刷回路基板１１００に実装された前記液晶表示装置１０００の高さより低くすることができ、前記印刷回路基板１１００の全体的な厚さを大きく減少することができる。
【０１１３】
一方、図２１に図示されたように、前記電源端子１１５０及びデータ端子１１６０は相異する印刷回路基板に分離され実装されている。
【０１１４】
図２４及び図２５は図２１に図示された電源端子及びデータ端子の構造を詳細に示した斜視図である。
【０１１５】
図２４を参照すれば、前記電源端子１１５０は第１信号転送ライン１１５２を通じて前記印刷回路基板１１００と電気的に連結された第１印刷回路基板１１５１及び第１印刷回路基板１１５１上に実装された第１コネクタ１１５３から成る。
【０１１６】
また、図２５を参照すると、前記データ端子１１６０は第２信号転送ライン１１６２を通じて前記印刷回路基板１１００と電気的に連結された第２印刷回路基板１１６１及び前記第２印刷回路基板１１６１上に実装された第２コネクタ１１６３から成る。
【０１１７】
前記電源端子１１５０及びデータ端子１１６０は前記液晶表示装置１０００のケースに別途に実装され、このように前記外部駆動電力が入力される第１コネクタ１１５３及び前記映像データ信号が入力される第２コネクタ１１６３を互いに分離された第１及び第２印刷回路基板１１５１、１１６１に実装することによる利点は、次の図面を参照してより詳細に説明する。
【０１１８】
図２６及び図２７は図２２に図示された液晶表示装置及び印刷回路基板を収納してケースを結合した状態を示した図面である。
【０１１９】
図２６及び図２７を参照すると、ケース１２００は前記ディスプレーユニット２００の有効画面領域が露出されるように基底面が所定の大きさで開口された前面ケース１２１０及び前記前面ケース１２１０と対向して結合する背面ケース１２２０を有する。
【０１２０】
また、前記ケース１２００は前記電源端子１１５０及びデータ端子１１６０を収納するための前面受け部１２３０（ｆｒｏｎｔ  ｓｕｐｐｏｒｔｉｎｇ  ｐｏｒｔｉｏｎ）及び前面受け部１２３０と対向し結合する背面受け部（ｒｅａｒ  ｓｕｐｐｏｒｔｉｎｇ  ｐｏｒｔｉｏｎ）１２４０を有する。前記前面及び背面受け部１２３０、１２４０は前記前面及び背面ケース１２１０、１２２０とヒンジ１２５０により結合され、前記液晶表示装置が図２６に図示されたように移動するように前面ケース及び背面ケース１２１０、１２２０を支持する。
【０１２１】
前記前面受け部１２３０には前記電源端子１１５０の第１コネクタ１１５３及びデータ端子１１６０の第２コネクタ１１６３を収納するための所定の大きさで開口部が各々形成される。前記第１コネクタ１１５３及び前記第２コネクタ１１６３を収納する開口部を各々第３及び第４収納部１２３１、１２３３と称する。
【０１２２】
図２７に図示されたように、前記第３及び第４収納部１２３１、１２３３の開口部は、横方向に前記第１及び第２コネクタ１１５３、１１６３より大きく形成される。従って、前記第３及び第４収納部１２３１、１２３３に収納された前記第１及び第２コネクタ１１５３、１１６３を図面において左右に、即ち前記第１及び第２コネクタ１１５３、１１６３がケースに沿って互いに対し遠ざかりまたは近づく方向に、移動させることができるが、これは前記液晶表示装置１０００に前記駆動電力及び映像データ信号を提供する外部情報処理装置との電気的な接続を容易にする。
【０１２３】
前記電源端子１１５０及びデータ端子１１６０と前記前面受け部１２３０との結合構造を図２８及び図２９を参照して、より詳細に説明する。
【０１２４】
図２８は図２７に図示された前面受け部の背面構造とこれに結合される電源端子及びデータ端子の構造を示した斜視図であり、図２９は図２８に図示された前面受け部に結合された電源端子及びデータ端子の動作状態を示した図面である。
【０１２５】
図２８を参照すれば、前記前面受け部１２３０の背面には、第３収納部１２３１の下に前記第３収納部１２３１に収納される前記第１コネクタ１１５３が実装された前記第１印刷回路基板１１５１を支持するための第１支持台１２３２が形成され、前記第４収納部１２３３の下には、前記データ端子１１６０が実装された第２印刷回路基板１１６１を支持するための第２支持台１２３５が形成される。
【０１２６】
また、前記第３収納部１２３１と第１支持台１２３２との間には、前記第３収納部１２３１に収納された第１コネクタ１１５３の左右移動を調節するための第１及び第２ストッパー１２３４ａ、１２３４ｂが互いに所定の距離に離隔されて形成される。具体的に、前記第１ストッパー１２３４ａは前記第１支持台１２３２の一側上部に位置し、前記第１支持台１２３２の上面と離隔して形成され、前記第２ストッパー１２３４ｂは前記第１支持台１２３２の他の一側上部に位置し、同様に、前記第１支持台１２３２の上面と離隔して形成される。
【０１２７】
このとき、前記第１及び第２ストッパー１２３４ａ、１２３４ｂと前記第１支持台１２３２の上面との離隔距離は、前記第１印刷回路基板１１５１が収納されるのに十分な距離である。そして、前記第１ストッパー１２３４ａと第２ストッパー１２３４ｂとの離隔距離は前記第１コネクタ１１５３のネック部１１５５の幅より大きい。
【０１２８】
従って、図２９に図示されたように、前記第１支持台１２３２により支持され第３収納部１２３１に前記第１コネクタ１１５３が収納されても、前記第１コネクタ１１５３のネック部１１５５と前記第１ストッパー１２３４ａとの間には“Ｌ１”ほどの離隔距離が存在し、前記第２ストッパー１２３４ｂとの間には“Ｌ２”ほどの離隔距離が存在する。そして、前記電源端子１１５０は、前記前面受け部１２３０と対向し結合する前記背面受け部１２４０により、前記前面受け部１２３０からの離脱が防止される。
【０１２９】
同様に、前記第４収納部１２３３と第２支持台１２３５との間には、前記第４収納部１２３３に収納された第２コネクタ１１６３の左右移動を調節するための第３及び第４ストッパー１２３６ａ、１２３６ｂが互いに所定距離に離隔して形成される。具体的には、前記第３ストッパー１２３６ａは前記第２支持台１２３５の一側上部に位置し、前記第２支持台１２３５の上面と離隔して形成され、前記第４ストッパー１２３６ｂは前記第２支持台１２３５の他の一側上部に位置し、同様に前記第２支持台１２３５の上面と離隔して形成される。
【０１３０】
このとき、前記第３及び第４ストッパー１２３６ａ、１２３６ｂと前記第２支持台１２３５の上面との離隔距離は、前記第２印刷回路基板１１６１が収納されるのに十分な距離である。そして、前記第３ストッパー１２３６ａと第４ストッパー１２３６ｂとの離隔距離は前記第２コネクタ１１６３のネック部１１６５の幅より大きい。
【０１３１】
従って、図２９に図示されたように、第２支持台１２３５により支持され、前記第４収納部１２３３に前記第２コネクタ１１６３が収納されても、前記第２コネクタ１１６３のネック部１１６５と前記第３ストッパー１２３６ａとの間には“Ｌ３”ほどの離隔距離が存在し、前記第４ストッパー１２３６ｂとの間には“Ｌ４”ほどの離隔距離が存在する。また、前記電源端子１１５０と同様に、前記データ端子１１６０は、前記前面受け部１２３０と対向し結合する前記背面受け部１２４０によって、前記前面受け部１２３０からの離脱が防止される。
【０１３２】
図３０及び図３１を参照して上述した液晶表示装置と外部情報処理装置の結合構造を説明する。
【０１３３】
図３０は図２７に図示された液晶表示装置と結合される外部情報処理装置の構造を示した斜視図であり、図３１は図３０に図示された外部情報処理装置に結合された液晶表示装置の使用状態を示す図面である。
【０１３４】
図３０を参照すれば、前記外部情報処理装置１３００の背面には、前記ケース１２００の前面及び背面受け部１２３０、１２４０を収納するために部分的に凹陥した第５収納部１３２０が形成される。また、前記第５収納部１３２０から外部情報処理装置１３００の上面に延びて前記前面及び背面ケース１２１０、１２２０を収納するための第６収納部１３３０が形成される。
【０１３５】
前記第５収納部１３２０の基底面には、互いに所定の距離に離隔された第３及び第４コネクタ１３４２、１３４４が形成される。前記第３及び第４コネクタ１３４２、１３４４は前記外部情報処理装置１３００の内部に実装される電力供給部及び外部情報処理部などと連結され前記第１及び第２コネクタ１１５３、１１６３へ前記駆動電力及び映像データ信号を提供する。
【０１３６】
一般的に、上述した外部情報処理装置１３００に形成される前記第３及び第４コネクタ１３４２、１３４４は特定位置に固定し設けられる。即ち、第３及び第４コネクタ１３４２、１３４４との間の離隔距離は、前記外部情報処理装置１３００の製造時に決定された距離に維持される。従って、前記前面受け部１２３０に収納された前記第１及び第２コネクタ１１５３、１１６３が特定位置に固定されるように設けると、前記外部情報処理装置１３００又は前記液晶表示装置１０００の製造過程で発生する小さい誤差にもかかわらず、前記第１及び第２コネクタ１１５３、１１６３が前記第３及び第４コネクタ１３４２、１３４４と正確に接続されないという問題点が発生する場合がある。
【０１３７】
これを防止するために、図３１に図示されたように、前記ケース１２００に収納された液晶表示装置１０００を前記外部情報処理装置１３００に結合するとき、前記第１及び第２コネクタ１１５３、１１６３を左右方向（前記第１及び第２コネクタ１１５３、１１６３がケースに沿って互いに対し遠ざかりまたは近づく方向）に移動させ、前記第３及び第４コネクタ１３４２、１３４４の離隔距離と同一な離隔状態とする。
【０１３８】
次に、前記第１及び第２コネクタ１１５３、１１６３が各々前記第３及び第４コネクタ１３４２、１３４４と電気的に接続されるように受け部１２４２を前記第５収納部１３２０に押し込めると、図３１に図示されたように、前記外部情報処理装置１３００と前記液晶表示装置１０００が電気的に接続された状態が維持される。
【０１３９】
また、前記前面及び背面受け部１２３０、１２４０は前記ヒンジ１２５０により前記前面及び背面ケース１２１０、１２２０に結合されている。従って、前記外部情報処理装置１３００及び液晶表示装置１０００を用いて特定の情報処理作業を実施する場合、使用者は前記液晶表示装置１０００を立てて使用することができ、前記外部情報処理装置１３００を用いていない場合、前記液晶表示装置１０００を前記第６収納部１３３０に収納して保管することができる。
【０１４０】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【０１４１】
【発明の効果】
上述したような液晶表示装置によると、光を発生するためのランプ及び導光板を収納する収納容器の基底面には前記ランプと導光板の位置をガイドして互いの衝突及び移動を防止するための一つ以上のボスが形成される。また、前記導光板の下部で前記光を反射する反射板の端部は、前記ランプの上部まで延びて形成され前記ランプの外側を取囲む。
【０１４２】
従って、液晶表示装置に使用される部品の数を減少させることができ、別途のランプカバーを使用するに比べて液晶表示装置の組立工程を単純化することができるので、液晶表示装置の製造費用を減少することができる。
【０１４３】
また、ランプ及び液晶表示パネルに駆動電力を提供するトランスフォーマは、前記収納容器の背面に設けられる印刷回路基板に形成された開口部に所定の深さで挿入され収納される。
【０１４４】
だから、前記開口部にトランスフォーマが収納される深さの分、液晶表示装置の全体的な厚さを減少させることができる。
【０１４５】
また、外部からの映像データ信号及び駆動電力の入力を受けて前記印刷回路基板に設けられた電力供給部及び信号変換部に提供する第１及び第２コネクタは、前記印刷回路基板と分離された別途の第１及び第２印刷回路基板に各々実装される。そして、前記第１及び第２コネクタは各々収納されるケースの第１及び第２開口部は前記第１及び第２コネクタがケースに沿って互いに対して遠ざかりまたは近づく方向に移動できる程度の大きさで形成される。
【０１４６】
従って、前記液晶表示装置を用いる外部情報処理装置に設けられたコネクタの離隔距離により、前記第１及び第２コネクタとの間の離隔距離を調節することにより、前記液晶表示装置及び外部情報処理装置の電気的な接続を容易であるようにすることができる。
【図面の簡単な説明】
【図１】本発明の望ましい実施形態による液晶表示装置の分解斜視図である。
【図２】図１に図示された下モールドフレームの構造を具体的に示した斜視図である。
【図３】図１に図示された下モールドフレームの構造を具体的に示した平面図である。
【図４】図１に図示された上モールドフレームの構造を具体的に示した斜視図である。
【図５】図１に図示された上モールドフレームの構造を具体的に示した平面図である。
【図６】図１に図示されたトップシャーシの構造を具体的に示した斜視図である。
【図７】図１に図示されたトップシャーシの構造を具体的に示した平面図である。
【図８】図１に図示された反射板の構造を示した斜視図である。
【図９】図１に図示されたランプの構造を示した斜視図である。
【図１０】図１に図示された導光板の構造を示した斜視図である。
【図１１】図１に図示された拡散シート類の構造を示した斜視図である。
【図１２】図１に図示されたディスプレーユニットの構造を示した斜視図である。
【図１３】図１に図示された下モールドフレーム、反射板及びランプの結合構造を示した図である。
【図１４】図１３に図示された下モールドフレーム、反射板及びランプの結合構造を詳細に示した部分切開斜視図である。
【図１５】図１３に図示された下モールドフレーム、反射板及びランプの結合構造を詳細に示した部分切開斜視図である。
【図１６】図１３に図示された液晶表示装置をＡの方向で示した側面図である。
【図１７】図１３に図示された下モールドフレーム及び電力供給ラインの結合構造を詳細に示した部分切開斜視図である。
【図１８】図１に図示された液晶表示装置を組立てた外観を示した斜視図である。
【図１９】図１８に図示された液晶表示装置の結合構造をＢ−Ｂ′の方向に示した断面図である。
【図２０】図１８に図示された液晶表示装置の結合構造をＣ−Ｃ′の方向に示した断面図である。
【図２１】図１８に図示された液晶表示装置の駆動を制御するための印刷回路基板を示す平面図である。
【図２２】図１８に図示された液晶表示装置と図２１に図示された印刷回路基板との結合状態を示した斜視図である。
【図２３】図２２に図示されたトランスフォーマの実装構造を示した断面図である。
【図２４】図２１に図示された電源端子の構造を詳細に示した斜視図である。
【図２５】図２１に図示されたデータ端子の構造を詳細に示した斜視図である。
【図２６】図２２に図示された液晶表示装置及び印刷回路基板を収納してケースを結合した状態を示した図面である。
【図２７】図２２に図示された液晶表示装置及び印刷回路基板を収納してケースを結合した状態を示した図面である。
【図２８】図２７に図示された前面受け部の背面構造とこれに結合される電源端子及びデータ端子の構造を示した斜視図である。
【図２９】図２８に図示された前面受け部に結合された電源端子及びデータ端子の動作状態を示した図面である。
【図３０】図２７に図示された液晶表示装置と結合される外部情報処理装置の構造を示した斜視図である。
【図３１】図３０に図示された外部情報処理装置に結合された液晶表示装置の使用状態を示す図面である。
【符号の説明】
１００    トップシャーシ
１３２、１３４、１３６、１３８    固定片
２００    ディスプレーユニット
３００    上モールドフレーム
４００    拡散シート類
５００    ランプ
６００    導光板
７００    反射板
７１０    反射基底面
８００    下モールドフレーム
８２０、８２２、８２４、８２６    基底面
８２８    開口部
８３２、８３４、８３６、８３８    突起
８４０    隔壁
８４６    ガイド通路
８５０    引出溝
８６１、８６３、８６５、８６７、８６９    結合突起
【図１】
0004159785.tif 000002
【図２】
0004159785.tif 000003
【図３】
0004159785.tif 000004
【図４】
0004159785.tif 000005
【図５】
0004159785.tif 000006
【図６】
0004159785.tif 000007
【図７】
0004159785.tif 000008
【図８】
0004159785.tif 000009
【図９】
0004159785.tif 000010
【図１０】
0004159785.tif 000011
【図１１】
0004159785.tif 000012
【図１２】
0004159785.tif 000013
【図１３】
0004159785.tif 000014
【図１４】
0004159785.tif 000015
【図１５】
0004159785.tif 000016
【図１６】
0004159785.tif 000017
【図１７】
0004159785.tif 000018
【図１８】
0004159785.tif 000019
【図１９】
0004159785.tif 000020
【図２０】
0004159785.tif 000021
【図２１】
0004159785.tif 000022
【図２２】
0004159785.tif 000023
【図２３】
0004159785.tif 000024
【図２４】
0004159785.tif 000025
【図２５】
0004159785.tif 000026
【図２６】
0004159785.tif 000027
【図２７】
0004159785.tif 000028
【図２８】
0004159785.tif 000029
【図２９】
0004159785.tif 000030
【図３０】
0004159785.tif 000031
【図３１】
0004159785.tif 000032